(57)【要約】      （修正有）【課題】幼児が、安全かつ簡単に操作できる電子音声発生書籍を、低コストで提供する。【解決手段】電子音声発生書籍は、幼児が指で軽く触れるだけで入力操作が可能なセンシング基盤１と、主制御チップ２１、スピーカ２２、および電源２３を含んだ主制御パネル２で構成される。タッチセンサは、リジッド性の分厚いプリント基板の代わりに薄いセンシング基板１を使用するため、製品がより軽量・薄型化される。また、センシング基盤１は可撓性を有しており、玩具の表面に配設することで、幼児の関心を引く等、商品性を高めることができる。【選択図】図１
2017091492.tif 000002
【特許請求の範囲】
【請求項１】
センシング基板と主制御パネルを含み、前記センシング基板に、タッチ領域とタッチ順を検知するためのタッチ検知パネルが設けられ、前記タッチ検知パネルに、１又は複数のタッチ検知領域が設けられ、前記主制御パネルは、主制御チップ、スピーカー及び電源装置を含み、前記主制御チップは、タッチ検知領域、スピーカー及び電源装置にそれぞれ接続されるタッチセンシングによる音声発生のためのインタラクティブプラットフォーム。
【請求項２】
前記センシング基板と主制御パネルは書籍本体に取り付けられる請求項１に記載のタッチセンシングによる音声発生のためのインタラクティブプラットフォーム。
【請求項３】
前記書籍本体に凹型溝が設けられ、前記タッチ検知パネルが凹型溝内に設けられる請求項２に記載のタッチセンシングによる音声発生のためのインタラクティブプラットフォーム。
【請求項４】
指示矢印と識別ポイントがプリントされたカードを更に含み、前記カード上の識別ポイントとタッチ検知パネル上のタッチ検知領域が一対一で対応する請求項１に記載のタッチセンシングによる音声発生のためのインタラクティブプラットフォーム。
【請求項５】
前記タッチ検知領域の形状は、円形、扇形、環状又は多角形とする請求項１又は４に記載のタッチセンシングによる音声発生のためのインタラクティブプラットフォーム。
【請求項６】
前記センシング基板と主制御パネルは玩具本体に取り付けられる請求項１に記載のタッチセンシングによる音声発生のためのインタラクティブプラットフォーム。
【請求項７】
前記玩具本体はケーシングを含み、前記ケーシングの表面に１又は複数のタッチ検知領域が設けられる請求項６に記載のタッチセンシングによる音声発生のためのインタラクティブプラットフォーム。
【請求項８】
指示矢印と識別ポイントがプリントされたタッチシートを更に含み、前記タッチシートがケーシングの表面に貼り付けられる請求項７に記載のタッチセンシングによる音声発生のためのインタラクティブプラットフォーム。
【請求項９】
請求項１〜８のいずれか１項に記載のタッチセンシングによる音声発生のためのインタラクティブプラットフォームに適用される識別方法であって、
前記タッチ検知領域は互いに独立したコードをそれぞれ備え、対応する内容を読み取る際には、凹型溝の形状寸法と一致するカードを凹型溝に挿入してから、カード上の指示に従って指をカード上でスライドさせ、指がタッチ検知領域でスライドすると、対応するタッチ検知領域の静電容量が変化し、主制御チップが、静電容量の変化したタッチ検知領域に基づいて対応するコードを検出し、指による全てのスライドが完了すると、主制御チップは検出した全てのコード及びコードの順序に従って、スピーカーに対し対応の命令を発し、スピーカーは命令を受領すると、凹型溝内のカード上の内容と対応する音声を発生させる方法。
【請求項１０】
前記カードは、円形、扇形又は多角形とする請求項９に記載のタッチセンシングによる音声発生のためのインタラクティブプラットフォームに適用される識別方法。
【発明の詳細な説明】
【技術分野】
【０００１】
本発明は、音声発生のためのインタラクティブプラットフォームとその方法に関し、特に、タッチセンシングによる音声発生のためのインタラクティブプラットフォーム及びその識別方法に関する。
【背景技術】
【０００２】
電子音声発生読み物は、児童の視覚、聴覚、触覚の成長に有益な知力読み物である。児童は、様々なカードやシールを配置したり触ったりすることで、それらに対応する音声や音楽を取得できる。これによれば、読み物としての面白みやインタラクティブ性が高まり、陰鬱とした学習方式が払拭されるため、児童は楽しみながら学ぶことができる。当該技術製品は構造が簡単で使用しやすいほか、感動的な音楽や魅力的な内容によって良好な行動習慣を養えるため、児童への使用に特に適している。
【０００３】
現在、大小様々な電子音声発生書籍が市販されているが、これら電子音声発生書籍には次のような課題がある。１．一般的にリジッド性のプリント基板や電線、金属弾性片（いわゆるメタルドーム）といった従来型の電子部品が用いられているため、使用時には金属弾性片の導通性や安定した弾性回復から、導通性に優れ、手触りの良いスイッチを構成可能である。しかし、金属弾性片を押下するには一定の力が必要とされ、幼い児童にはやや難度が高い。２．金属弾性片の底に配置されるリジッド性のプリント基板は一般的に分厚い。こうした特性から、取り付け空間への要求が厳しくなり、製品に一定の制限が生じてしまう。３．現在市販されているパズル型の音声発生電子書籍では、主としてパズルカード内に音声又はエンコードチップが配置されている。パズルカードが電子書籍の凹陥位置に配置されると、導電接触子がパズルカード内の音声又はエンコードチップのデータを読み取り、対応する音声を発生させる。しかし、パズルカードはチップを内蔵せねばならないため、内蔵チップの破損を避けるべく十分な厚みを持つことが必要となる。結果、コストが高騰するほか、パズルカードが過度に分厚く、重くなり、使用に際して多くの不便が生じてしまう。
【発明の概要】
【発明が解決しようとする課題】
【０００４】
上記の課題を解決するために、本発明は、タッチセンシングによる音声発生のためのインタラクティブプラットフォーム及びその識別方法を提供することを目的とする。
【課題を解決するための手段】
【０００５】
本発明が上記の課題を解決するために用いた技術方案は、タッチセンシングによる音声発生のためのインタラクティブプラットフォームであって、センシング基板と主制御パネルを含み、センシング基板に、タッチ領域とタッチ順を検知するためのタッチ検知パネルが設けられ、タッチ検知パネルに、１又は複数のタッチ検知領域が設けられ、主制御パネルが、主制御チップ、スピーカー及び電源装置を含み、主制御チップが、タッチ検知領域、スピーカー及び電源装置にそれぞれ接続される。
【０００６】
更に、前記センシング基板と主制御パネルは書籍本体に取り付けられる。
【０００７】
更に、前記書籍本体に凹型溝が設けられ、前記タッチ検知パネルが凹型溝内に設けられる。
【０００８】
更に、前記タッチ検知パネルは取り外し可能にセンシング基板に取り付けられる。
【０００９】
更に、指示矢印と識別ポイントがプリントされたカードを更に含み、前記カード上の識別ポイントとタッチ検知パネル上のタッチ検知領域が一対一で対応する。
【００１０】
更に、前記タッチ検知領域の形状は、円形、扇形、環状又は多角形とされる。
【００１１】
更に、前記センシング基板と主制御パネルは玩具本体に取り付けられる。
【００１２】
更に、前記玩具本体はケーシングを含み、前記ケーシングの表面に１又は複数のタッチ検知領域が設けられる。
【００１３】
更に、指示矢印と識別ポイントがプリントされたタッチシートを更に含み、前記タッチシートがケーシングの表面に貼り付けられる。
【００１４】
更に、前記タッチシート上の識別ポイントとケーシング表面のタッチ検知領域が一対一で対応する。
【００１５】
更に、前記主制御チップに、タッチ検知領域の各領域コードに対応したプログラムが予め設けられる。
【００１６】
タッチセンシングによる音声発生のためのインタラクティブプラットフォームに適用される識別方法において、タッチ検知領域が互いに独立したコードをそれぞれ備え、対応する内容を読み取る際には、凹型溝の形状寸法に一致するカードを凹型溝に挿入してから、カード上の指示に従って指をカード上でスライドさせ、指がタッチ検知領域でスライドすると、対応するタッチ検知領域の静電容量が変化し、主制御チップが、静電容量の変化したタッチ検知領域に基づいて対応するコードを検出し、指による全てのスライドが完了すると、主制御チップが検出した全てのコード及びコードの順序に従って、スピーカーに対し対応の命令を発し、スピーカーは命令を受領すると、凹型溝内のカード上の内容と対応する音声を発生させる。
【００１７】
更に、カード上の内容はアルファベット、漢字、数字又は図形とされるが、これらに限らない。
【００１８】
更に、カードは円形、扇形又は多角形とされるが、これらに限らない。
【発明の効果】
【００１９】
本発明は、以下のような有益な効果を有する。即ち、本発明で用いられるタッチセンシングによる音声発生のためのインタラクティブプラットフォーム及びその識別方法によれば、タッチセンシングによる音声発生のためのインタラクティブプラットフォームが、センシング基板と主制御パネルを含み、センシング基板にタッチ領域とタッチ順を検知するためのタッチ検知パネルが設けられ、タッチ検知パネルに１又は複数のタッチ検知領域が設けられ、主制御パネルが、主制御チップ、スピーカー及び電源装置を含み、主制御チップが、タッチ検知領域、スピーカー及び電源装置にそれぞれ接続される。また、タッチセンシングによる音声発生のためのインタラクティブプラットフォームに適用される識別方法において、タッチ検知領域が互いに独立したコードをそれぞれ備え、対応する内容を読み取る際に、凹型溝の形状寸法に一致するカードを凹型溝に挿入してから、カード上の指示に従って指をカード上でスライドさせ、指がタッチ検知領域でスライドすると、対応するタッチ検知領域の静電容量が変化し、主制御チップが、静電容量の変化したタッチ検知領域に基づいて対応するコードを検出し、指による全てのスライドが完了すると、主制御チップが検出した全てのコード及びコードの順序に従って、スピーカーに対し対応の命令を発し、スピーカーは命令を受領すると、凹型溝内のカード上の内容と対応する音声を発生させる。本発明によれば、タッチセンシング領域で指を軽くスライドさせるだけで図形や文字を認識可能なため、非常に便利且つ力を必要としない。また、本発明では、リジッド性の分厚いプリント基板の代わりに薄いセンシング基板を使用するため、製品がより軽量・薄型化される。また、本発明で使用するカードにはチップや音声が内蔵されないため、チップや音声が内蔵されるパズルカードに比べて非常に軽量で薄型となり、作製や使用、保管がしやすい。本発明は、別のチップを用いることで、ランプ、画像、映像又は動作を含む異なる出力が可能となるが、これらに限らない。
【００２０】
以下に、図面と実施例を組み合わせて本発明につき更に説明する。
【図面の簡単な説明】
【００２１】
【図１】図１は、本発明の構造を示す図である。
【図２】図２は、本発明のカードを示す図である。
【図３】図３は、本発明のタッチ検知領域の配列を示す図である。
【図４】図４は、本発明の第１実施例の構造を示す図である。
【図５】図５は、本発明の第２実施例の構造を示す図である。
【発明を実施するための形態】
【００２２】
図１及び図４を参照して、本発明のタッチセンシングによる音声発生のためのインタラクティブプラットフォームは、センシング基板１と主制御パネル２を含む。センシング基板１には、タッチ領域とタッチ順を検知するためのタッチ検知パネル１１が設けられており、タッチ検知パネル１１には、１又は複数のタッチ検知領域１１１が設けられている。主制御パネル２は、主制御チップ２１、スピーカー２２及び電源装置２３を含む。主制御チップ２１は、タッチ検知領域１１１、スピーカー２２及び電源装置２３にそれぞれ接続される。
【００２３】
好ましくは、前記センシング基板１と主制御パネル２が書籍本体３に取り付けられる。
【００２４】
好ましくは、前記書籍本体３に凹型溝３１が設けられ、前記タッチ検知パネル１１が凹型溝３１内に設けられる。
【００２５】
好ましくは、前記タッチ検知パネル１１が取り外し可能にセンシング基板１に取り付けられる。
【００２６】
好ましくは、指示矢印４１と識別ポイント４２がプリントされたカード４を更に含み、前記カード４上の識別ポイント４２とタッチ検知パネル１１上のタッチ検知領域１１１が一対一で対応する。
【００２７】
好ましくは、前記タッチ検知領域１１１の形状が、円形、扇形、環状又は多角形とされるが、これに限らない。
【００２８】
好ましくは、前記センシング基板１と主制御パネル２が玩具本体５内に取り付けられる。
【００２９】
好ましくは、前記玩具本体５はケーシング５１を含み、前記ケーシング５１の表面に１又は複数のタッチ検知領域１１１が設けられる。
【００３０】
好ましくは、指示矢印４１と識別ポイントがプリントされたタッチシート５２を更に含み、前記タッチシート５２がケーシング５１の表面に貼り付けられる。
【００３１】
好ましくは、前記タッチシート５２上の識別ポイント４２とケーシング５１表面のタッチ検知領域１１１が一対一で対応する。
【００３２】
好ましくは、前記主制御チップ２１に、タッチ検知領域１１１の各領域コードに対応したプログラムが予め設けられる。
【００３３】
タッチセンシングによる音声発生のためのインタラクティブプラットフォームに適用される識別方法において、タッチ検知領域１１１は互いに独立したコードをそれぞれ有している。対応する内容を読み取る際には、凹型溝３１の形状寸法と一致するカード４を凹型溝３１に挿入してから、カード４上の指示に従って指をカード４上でスライドさせる。指がタッチ検知領域１１１でスライドすると、対応するタッチ検知領域１１１の静電容量が変化する。そして、主制御チップ２１が、静電容量の変化したタッチ検知領域１１１に基づいて対応するコードを検出する。指による全てのスライドが完了すると、主制御チップ２１は検出した全てのコード及びコードの順序に従って、スピーカー２２に対し対応の命令を発する。スピーカー２２は命令を受領すると、凹型溝３１内のカード４上の内容と対応する音声を発生させる。
【００３４】
好ましくは、カード４上の内容はアルファベット、漢字、数字又は図形とされるが、これらに限らない。
【００３５】
好ましくは、カード４が円形、扇形又は多角形とされるが、これらに限らない。
【００３６】
図２を参照して、前記カード４には、アルファベット、漢字、数字又は図形等の文字記号のほかに、使用者を案内するためのコード及び指示矢印４１も設けられ、更に、タッチ検知領域１１１に一対一で対応する識別ポイント４２が設けられる。
【００３７】
図３を参照して、タッチ検知パネル１１上における前記タッチ検知領域１１１の配列形式は様々であり、マトリックス配列、不規則配列又はその他の規則的配列が含まれるが、これらに限らない。
【００３８】
図４を参照して、本発明の担持体が書籍本体３の場合、前記カード４の形状寸法は凹型溝３１の形状寸法に一致するものとする。また、カード４上の識別ポイント４２も、凹型溝３１内のタッチ検知領域１１１と一対一で対応する。
【００３９】
図５を参照して、本発明の担持体は書籍本体３のほか、玩具本体５又は日用品等であってもよいが、これらに限らない。また、本発明は、平面だけでなくアーチ形状又は不規則平面にも適用可能であるが、これらに限らない。図示するように、前記玩具本体５は、ケーシング５１とタッチシート５２を含む。前記ケーシング５１の表面にはタッチ検知領域１１１が設けられ、前記タッチシート５２には指示矢印４１と識別ポイント４２がプリントされる。前記タッチシート５２はケーシング５１に貼り付けられ、前記識別ポイント４２とケーシング５１上のタッチ検知領域１１１が一対一で対応する。指示矢印４１と識別ポイントに基づいて、タッチシート５２の対応する領域で指を軽くスライドさせると、電子装置がこれを識別して、所定のプログラムに従って音声、動作、光等を出力する。但し、これに限らない。
【００４０】
以上は本発明の好ましい実施例にすぎない。本発明は上述の実施形態に限定されず、同様の手段で本発明の技術的効果を達成可能なものであれば、いずれも本発明の保護の範囲とみなされる。
【図１】
2017091492.tif 000003
【図２】
2017091492.tif 000004
【図３】
2017091492.tif 000005
【図４】
2017091492.tif 000006
【図５】
2017091492.tif 000007